(57)【要約】【課題】  ガラスに透明プラスチック板をスペーサを介して固着させると透明プラスチックの線膨張率がガラスのそれに比べ、１０倍以上に大きいために直射日光の受けた時に熱膨張により透明プラスチック板が変形したり剥離するという課題がある。【解決手段】  ガラスと透明プラスチック板を接着固定しないようにするため溝形プラスチックをガラスと透明プラスチックに夫々溝の向きを逆になるよう接着し片側の片を他側の溝に差し込むことで透明プラスチック板が脱落はしないが自由に伸縮できるようにする。透明プラスチックの伸縮は伸縮性のある接着テープで吸収させると共にガラスと透明プラスチック間の中空層の気密性も保持できるようにする。【選択図】          図１
2008214894.tif 000002
【特許請求の範囲】
【請求項１】
ガラスと透明プラスチック板とを組み合わせた代替複層ガラスにおいて、溝形プラスチックバーをガラスの室内側上端部に溝が下になるよう接着固定させ、一方透明プラスチック板の上端部にはガラスとは反対に溝形プラスチックバーの溝が上になるよう接着固定するとともに当該プラスチック板の左右両端と下端には溝形プラスチックバー高さに当該プラスチックバーの一辺の厚みを加えた高さと同じ高さのプラスチック製の補強用バーを取り付けることでガラス表面と透明プラスチック板の平行が保てるようにし、透明プラスチック板に取り付けた溝形プラスチックバーの一辺をガラス側の溝形プラスチックバーの溝に差し込むことで、透明プラスチック板をガラスに固着させることなくガラス表面にぶら下げ、伸縮性のある接着テープでガラス戸サッシと透明プラスチック板との隙間あるいは透明プラスチック板同士の隙間をカバーしてガラスと透明プラスチック板間の中空層の気密性を保持することを特徴とする代替複層ガラス。
【請求項２】
透明プラスチック板に接着する溝形プラスチックバーは透明プラスチック板幅相当の一本の長い溝形プラスチックバーを使用し、ガラスに取り付ける溝形プラスチックは長さを１００ｍｍ乃至２００ｍｍの短い溝形プラスチック片とし接着間隔を溝形プラスチック片の長さ程度とすること特徴とする代替複層ガラス。
【発明の詳細な説明】
【技術分野】
【０００１】
本発明は、窓ガラスからの放熱量を低減する省エネ対策の一つとして、今後全国的に普及が見込まれる複層ガラスに関するもので、新築住宅においては普及が進んでいるが、大半を占める既存の住宅においては、省エネ効果が大きいにもかかわらず複層ガラスへの転換にコストが掛かりすぎるために普及が遅れている。
【背景技術】
【０００２】
単ガラスを複層ガラスに転換するためには、サッシごと取り替えるかアタッチメントを使用して単ガラスの上に新たにガラスを取り付けて複層ガラス化するかの二つの方法が一般的に行われているが、サッシに嵌め込まれたガラスの寸法は多種多様であり、夫々のガラス寸法に合わせてガラスを加工して取り付ける必要があるためガラス加工や取り付け工事を専門家に委ねなければならず当然費用も嵩むという問題がある。これを解決するためにガラスの代わりに透明シートをガラスと平行になるようスペーサを介してあるいは直接窓枠に貼り付けて中空層を形成する方法や透明プラスチック板をスペーサを介して単ガラスに平行に貼り付け中空層を形成する方法などが提案されている。
【０００３】
【特許文献１】実開昭５６−０５５４８０
【特許文献２】実用新案登録−第３１２３９７０号
【発明の開示】
【発明が解決しようとする課題】
【０００４】
透明プラスチック板を使用する代替複層ガラスの場合、透明プラスチック板の線膨張率はガラスのそれに比べ１０倍以上大きくそのためプラスチック板に直射日光が当たるとプラスチック表面温度は５０℃以上になりプラスチック板とガラスの熱膨張差はプラスチック板の幅を最大９００ｍｍに押さえても３ｍｍ以上になる場合があり、プラスチック板をスペーサを介してガラスに接着させた場合プラスチック板が変形するか、接着が外れるかのいずれかになるという課題がある。
【課題を解決するための手段】
【０００５】
この課題を解決するための請求項１の発明は、ガラスと透明プラスチック板とを固着することなく溝形プラスチックバーの組み合わせにより透明プラスチック板をガラス表面上にぶら下げ、伸縮性のある接着テープで固定することで、透明プラスチック板は熱膨張に対して全方向に自由に伸縮でき接着テープの伸縮でその伸縮を吸収できるようになる。
【０００６】
請求項２の発明は、ガラス表面に接着剤で取り付けた溝形プラスチックバーにおいてもガラスとの熱膨張差が大きいと接着剤が外れたり、溝形プラスチックバーが変形する恐れがあり溝形プラスチックバーの長さを短くすることでガラスとの熱膨張差を少なくしその影響を低減させる。
【発明の効果】
【０００７】
ガラス表面には溝形プラスチック片を取り付けるだけで、溝形プラスチック片の一辺に予め接着剤を付けておけばガラス表面への取り付けは容易であり、透明プラスチック板への補強バーの取り付けも特別な技術を必要としないため、容易に単ガラスを複層ガラス化することが可能となる。
【発明を実施するための最良の形態】
【０００８】
本発明の代替複層ガラスに関する実施の形態について説明する。
なお、この形態は、発明の趣旨をより良く理解させるために説明するものであり、特に指定しない限り、本発明を限定するものではない。
【実施例１】
【０００９】
図１は、ガラス戸におけるガラス１０２の上端に直接接着剤で溝形プラスチック片１０４を接着させ、その上に同じく上部に溝形プラスチックバー１０５を接着させ周辺を補強用溝形プラスチックバー１０６で補強した透明プラスチック板１０３を接着剤なしでぶら下げ、更にビニールテープ１０７でサッシ１０１と当該透明プラスチック板１０３との隙間および透明プラスチック板１０３同士の隙間をカバーした代替複層ガラスの全体図である。
【００１０】
図２は、ガラス戸のガラス１枚に対しアクリル板を２枚貼り付ける場合の図で、ガラス１０２の室内側表面に溝形プラスチック片１０４を２枚のアクリル板１０３に合わせて２列に取り付けたガラス戸の全体図である。
【００１１】
図３は、２枚のアクリル板１０３に夫々溝形プラスチックバー１０５と補強用溝形プラスチックバー１０６を取り付けたガラス１０２に対応するアクリル板の全体図である。
【００１２】
図４はサッシ１０１と、ガラス１０２と、ガラス１０２に接着した溝形プラスチック片１０４と、アクリル板１０３と、アクリル板１０３に接着した溝形プラスチックバー１０５と、気密保持用のビニールテープ１０７の位置関係を示す部分断面図である。
【００１３】
図５はガラス１枚に対しアクリル板２枚を貼り付ける場合のアクリル板同士の取り合いを示すもので、ガラス１０２と、ガラス１０２に接着した溝形プラスチック片１０４と、アクリル板１０３と、アクリル板に接着した溝形プラスチックバー１０５と、アクリル板に接着した補強用溝形プラスチックバー１０６とアクリル板同士の隙間をカバーし気密性を保持するためのビニールテープ１０７の位置関係を示す部分断面図である。
【００１４】
図６はガラス戸の左端のサッシ１０１とガラス１０２とアクリル板とアクリル板に接着した補強用溝形プラスチック板と気密保持用ビニールテープの位置関係を示す部分断面図である。
【産業上の利用可能性】
【００１５】
安価で製作が簡単な代替複層ガラスが普及すれば、省エネ効果による地球温暖化対策として有効となる。
【図面の簡単な説明】
【００１６】
【図１】ガラス戸にアクリル板を取り付けた代替複層ガラスの全体図である。
【図２】ガラスに溝形プラスチック片を取り付けたガラス戸の全体図である。
【図３】アクリル板に溝形プラスチックバーと補強用溝形プラスチックバーを取り付けた２枚のアクリル板の全体図である。
【図４】サッシと、溝形プラスチック片を接着させたガラスと、溝形プラスチックバーを接着させたアクリル板と、気密保持用のビニールテープの位置関係を示す部分断面図である。
【図５】溝形プラスチック片を接着させたガラスと、補強用溝形プラスチックバーを接着させたアクリル板と、溝形プラスチックバーを接着させたアクリル板と、気密保持用のビニールテープの位置関係を示す部分断面図である。
【図６】サッシとガラスと補強用溝形プラスチックバーを接着させたアクリル板と気密保持用のビニールテープの位置関係を示す部分断面図である。
【符号の説明】
【００１７】
１０１    サッシ
１０２    ガラス
１０３    アクリル板
１０４    溝形プラスチック片
１０５    溝形プラスチックバー
１０６    補強用溝形プラスチックバー
１０７    ビニールテープ
２００    中空層
【図１】
2008214894.tif 000003
【図２】
2008214894.tif 000004
【図３】
2008214894.tif 000005
【図４】
2008214894.tif 000006
【図５】
2008214894.tif 000007
【図６】
2008214894.tif 000008